【手続補正書】
【提出日】平成20年4月10日(2008.4.10)
【手続補正１】
【補正対象書類名】明細書
【補正対象項目名】特許請求の範囲
【補正方法】変更
【補正の内容】
【特許請求の範囲】
【請求項１】
組織採取器を有する生検装置であって、
該組織採取器は、採取されるべき組織への該組織採取器の挿入の方向によって画定される長手方向軸を有する一般的に長手方向の形状を有し、
該組織採取器は、互いに対して平行に向かい合わせに配置され且つ平らである、１対のブレードを有し、
該１対のブレードは、前記長手方向軸に沿って互いに対して可動である第１及び第２のブレードを有し、採取されるべき組織を受容する組織受容空間の２つの側面を画定し、当該生検装置の先端において当該生検装置が組織へと挿入される際に採取される組織を切断する前縁部を有し、
前記組織採取器は、当該生検装置が挿入された後に組織から試料を切断する切断手段を更に有する、
生検装置。
【請求項２】
前記切断手段は、第３のブレードを有する、
請求項１記載の生検装置。
【請求項３】
前記第３のブレードは、前記採取されるべき組織を受容する空間の外側に配置される、
請求項２記載の生検装置。
【請求項４】
前記採取されるべき組織を受容する空間は、第３の側面に沿って開き、該第３の側面は、前記向かい合わせに配置されるブレードの縁部によって画定される縁部を有する、
請求項１乃至３のうちいずれか一項記載の生検装置。
【請求項５】
前記採取されるべき組織を受容する空間は、前記第３の側面に対向する第４の側面に沿って開き、該第４の側面は、前記向かい合わせに配置されるブレードの縁部によって画定される縁部を有する、
請求項４記載の生検装置。
【請求項６】
前記切断手段は、前記ブレードの少なくとも１つの側縁に隣接する組織を切断するよう構成される、
請求項４又は５記載の生検装置。
【請求項７】
前記第１のブレード及び前記第２のブレードは、前記採取される組織へと順次前進されるよう構成される、
請求項１乃至６のうちいずれか一項記載の生検装置。
【請求項８】
前記１対のブレードのうちの一方のブレードを他方のブレードに対し揺動させる駆動手段を更に有する、
請求項７記載の生検装置。
【請求項９】
前記向かい合わせに配置される１対のブレードの一方のブレードによって画定される側面に隣接する前記採取される組織の側面を切断するよう、少なくとも１つの側面切断ブレードを更に有し、該少なくとも１つの側面切断ブレードは、前記向かい合わせに配置される１対のブレードの一方のブレードに対して取り付けられる、
請求項１乃至８のうちいずれか一項記載の生検装置。
【請求項１０】
前記向かい合わせに配置される１対のブレードの一方のブレードは、前記試料の保持を支援するよう当該生検装置の前記先端付近において内側に向けられる刺を有する、
請求項１乃至９のうちいずれか一項記載の生検装置。
【請求項１１】
前記ブレードによって画定される平面において、前記向かい合わせに配置される１対のブレードのうちの少なくとも一方のブレードの幅は、当該生検装置の先端に向かって細くされる、
請求項１乃至１０のうちいずれか一項記載の生検装置。
【請求項１２】
前記切断手段は、前記採取されるべき組織を受容する空間の少なくとも１つの開いている側面に沿って切断するブレードを有する、
請求項１１記載の生検装置。
【請求項１３】
前記切断手段は、当該生検装置の前記先端に隣接する前記試料の端にわたって切断するよう構成される、
請求項１２記載の生検装置。
【請求項１４】
前記切断手段は、前記採取されるべき組織を受容する空間の両方の側面に沿って切断するよう構成される、
請求項１２又は１３記載の生検装置。
【請求項１５】
前記切断手段は、前記向かい合わせに配置される１対のブレードによって画定される前記採取されるべき組織を受容する空間の１つの側面又は両方の側面に沿って前記採取される組織を切断するよう、前記組織採取器に摺動可能に取り付けられる可動の試料切離しブレードを有する、
請求項１記載の生検装置。
【請求項１６】
前記可動の試料切離しブレードの一部は、弾性であり、前記生検装置先端に隣接する組織試料の前記端を切断することを支援するよう前記採取されるべき試料を受容する空間に向かって内側に付勢される、
請求項１５記載の生検装置。
【請求項１７】
前記可動の試料切離しブレードは、向かい合わせに配置される１対のブレード部を有する、
請求項１５又は１６記載の生検装置。
【請求項１８】
前記採取されるべき組織を受容する空間は、第３の側面が閉じられており、前記採取されるべき組織を受容する空間の第４の側面に沿って切断する可動ブレードが設けられる、
請求項１記載の生検装置。
【請求項１９】
前記向かい合わせに配置される１対のブレードは、前記第３の側面に向かって細くされ、
前記可動ブレードは、前記組織試料の前記端にわたって切断することを容易にするよう前記第３の側面に向かって付勢される、
請求項１８記載の生検装置。
【請求項２０】
試料を切り離し易くするために前記可動ブレードを動かす作動手段を更に有する、
請求項１５乃至１９のうちいずれか一項記載の生検装置。
【請求項２１】
片手で動作させることができるよう構成される、
請求項２０記載の生検装置。
【請求項２２】
前記組織採取器に取り付けられるハンドルを更に有し、
前記作動手段は、トリガにより動作されるバネを有する、
請求項２０又は２１記載の生検装置。
【請求項２３】
平行なツインブレードを有する生検装置であって、
該ツインブレードは、長手方向において組織を前進する際に、前記ツインブレードの間において組織生検の薄く平らなセクションを切断及び保持し、前記ブレードの第１のブレードは、前記組織生検の保持を支援するよう前記ブレードにわたる段階を有し、前記ブレードの第２のブレードは、前記組織生検の側面を切断するよう２つの側面切断部を有し、
前記第２のブレードは、前記長手方向において前記第１のブレードに対して可動であり、前記第１のブレードが前記組織生検の前記平らなセクションの第１の面を切断するよう前記組織へと前進した後に、前記第２のブレードは、前記組織生検の前記側面、及び前記第１の面に対向する前記組織の前記平らなセクションの第２の面を切断するよう前進可能であるようにされる、
生検装置。
【請求項２４】
前記ブレードの前記第１のブレードは、先端を有し、該先端に向かって細くされる、
請求項２３記載の装置。
【請求項２５】
ハンドルを有し、
前記平行なツインブレードは、該ハンドル上に取り付けられ、
更には、前記ブレードの前記第２のブレードを前進させるようトリガを有する、
請求項２３乃至２４のうちいずれか一項記載の装置。
【請求項２６】
前記ブレードの前記第２のブレードは、バネが取り付けられる、
請求項２５記載の装置。
【請求項２７】
ハンドルを有し、
前記平行なツインブレードは、該ハンドル上に取り付けられ、
前記第２のブレードは、前記ハンドルの内部トラックに摺動可能に取り付けられる、
請求項２３乃至２４のうちいずれか一項記載の装置。
【請求項２８】
前記トラック上において、押し棒及びボタンが摺動可能に取り付けられ、前記ボタンを前後に動かすことにより、前記ブレードの前記第２のブレードが前後に動かされる、
請求項２７記載の装置。
【請求項２９】
組織採取器を有する生検装置であって、
該組織採取器は、採取されるべき組織への該組織採取器の挿入の方向によって画定される長手方向軸を有する一般的に長手方向の形状を有し、
該組織採取器は、互いに対して平行に向かい合わせに配置され且つ平らである、１対のブレードを有し、前記ブレードは、採取されるべき組織を受容する組織受容空間の２つの側面を画定し、当該装置の先端において、当該装置が前記組織へと挿入される際に前記採取される組織を切断する前縁部を有し、前記１対のブレードは、第１のブレード及び第２のブレードを有し、前記第１及び第２のブレードは、前記長手方向軸に沿って互いに対して長手方向に可動であり、前記採取される組織へと順次長手方向に前進されるよう構成される、
生検装置。
【請求項３０】
前記採取されるべき組織を受容する空間は、第３の側面に沿って開き、該第３の側面は、前記向かい合わせに配置されるブレードの縁部によって画定される縁部を有する、
請求項２９記載の生検装置。
【請求項３１】
前記採取されるべき組織を受容する空間は、前記第３の側面に実質的に対向する第４の側面に沿って開き、該第４の側面は、前記向かい合わせに配置されるブレードの縁部によって画定される縁部を有する、
請求項３０記載の生検装置。
【請求項３２】
前記向かい合わせに配置される１対のブレードの一方のブレードによって画定される側面に隣接する試料組織の１つの側面を切断する少なくとも１つの側面切断ブレードを更に有し、前記少なくとも１つの側面切断ブレードは、前記向かい合わせに配置される１対のブレードの一方のブレードに対して取り付けられる、
請求項２９乃至３１のうちいずれか一項記載の生検装置。
【請求項３３】
前記向かい合わせに配置される１対のブレードの一方は、試料組織を保持する支援をするよう内側に向けられる刺又は当該生検装置の先端付近における突起部を有する、
請求項２９乃至３２のうちいずれか一項記載の生検装置。
【請求項３４】
一方のブレードを他方のブレードに対し揺動させる駆動手段を更に有する、
請求項３２又は３３記載の生検装置。
【請求項３５】
当該生検装置が挿入された後に前記組織から前記試料を切断するよう切断手段を更に有する、
請求項２９乃至３１のうちいずれか一項記載の生検装置。
【請求項３６】
前記切断手段は、前記採取されるべき組織を受容する空間の少なくとも１つの開いている側面に沿って切断するよう構成される、
請求項３５記載の生検装置。
【請求項３７】
実質的に平行なツインブレードを有する生検装置であって、
該実質的に平行なツインブレードは、組織の平面を通って前進される際に、前記実質的に平行なツインブレード間で組織生検の薄く平らなセクションを切断し、当該生検装置は、前記ツインブレードの各ブレードが別々に前進するよう構成される、
生検装置。